(57)【要約】【課題】製造コストの低廉化を図りつつ、電波発信器などを用いた不正行為を確実に防止しかつ制御基板の不正な改変を容易に視認し得る弾球遊技機を提供する。【解決手段】弾球遊技機Ａは、外枠２に前面枠３が開閉可能に取り付けられ、この前面枠に遊技盤４が設けられてなる。上記外枠又は前面枠に、前面枠の少なくとも閉状態で遊技盤の裏面側に遊技盤と協働して基板収容空間３０を形成するカバー３１を設ける。このカバー及び遊技盤を、共に導電性を有する構成とし、上記基板収容空間に制御基板３２を配置する。【選択図】　　　図４
2004105572.tif 000002
【特許請求の範囲】
【請求項１】
外枠に前面枠が開閉可能に取り付けられ、この前面枠に遊技盤が設けられた弾球遊技機において、
上記外枠又は前面枠には、前面枠の少なくとも閉状態で遊技盤の裏面側に遊技盤と協働して基板収容空間を形成するカバーが設けられ、このカバー及び遊技盤は、共に導電性を有する構成になっており、上記基板収容空間には制御基板が配置されていることを特徴とする弾球遊技機。
【請求項２】
上記カバー及び遊技盤は、共に導電性の金属板からなる請求項１記載の弾球遊技機。
【請求項３】
上記遊技盤には、表示装置取付用開口部が設けられているとともに、この開口部に取り付けた表示装置の裏面側を覆う第２のカバーが取り付けられており、この第２のカバーは、上記基板収容空間形成用のカバーと同じく導電性を有する構成になっている請求項１又は２記載の弾球遊技機。
【請求項４】
上記遊技盤の裏面側には、基板収容空間を貫通して上下方向に延びる球供給通路が設けられており、この球供給通路内の基板収容空間を貫通する入口側及び出口側にはそれぞれ球の通過を許容しつつ通路内を閉鎖する導電性のシールド弁が設けられている請求項１〜３のいずれか一つに記載の弾球遊技機。
【発明の詳細な説明】
【０００１】
【発明の属する技術分野】
本発明は、パチンコ遊技機などの弾球遊技機に関し、特に制御基板に対する不正行為の防止に係わる。
【０００２】
【従来の技術】
一般に、パチンコ遊技機においては、例えば特許文献１に開示されるように、外枠に前面枠（前枠ともいう）が開閉可能に取り付けられ、この前面枠に遊技盤、ガラス枠及び発射ハンドルなどが設けられている。そして、遊技盤上に多数の障害釘と入賞口や役物などの各種遊技部品とが適宜配置され、この遊技盤上に発射ハンドルによりパチンコ球を打ち出して遊技を行う構成になっている。前面枠の裏面側には遊技盤上の役物などを制御する制御基板などが設けられ、前面枠を開けて制御基板などの保守・点検を行い得るようになっており、前面枠は施錠装置により外枠に施錠されている。
【０００３】
ところで、上記制御基板に対する不正行為として、前面枠を開けることなく、電波発信器などを用いて制御基板が制御する役物などを誤作動させ、賞球を不正に取得することがある。特許文献１には、この不正行為を防止しかつ制御基板の不正な改変を容易に視認できるようにするために、制御基板を、上ケースと下ケースとからなるボックス内に収納し、この収納ボックスの少なくとも上ケースを透明な導電性樹脂によって形成することが開示されている。また、導電性樹脂の代わりに、通常の透明な合成樹脂によって収納ボックスの上ケースを形成し、この上ケースの内面側に導電性の金属板を重ね合わせて設けるとともに、この金属板に観察口を設けることも開示されている。
【０００４】
【特許文献１】
特開平１１−９８０４号公報（第２−６頁、図１−図５）
【０００５】
【発明が解決しようとする課題】
しかし、上記特許文献１に開示された不正行為の防止策のうち、前者のものでは、導電性樹脂が通常の樹脂に比べて高価なものであるため、この導電性樹脂を用いて収納ボックスを形成した場合製造コストが高くつくという問題がある。特に、１台のパチンコ遊技機に複数の制御基板が装備され、これらの制御基板をそれぞれ別々の導電性樹脂製の収納ボックス内に収納する場合にはこの問題は一層顕著なものになる。
【０００６】
また、後者のものでは、金属板に設ける観察口の大きさを設定する場合、これを大きく設定すると電波を遮断することができず、不正行為防止策としては十分な効果が得られなくなり、逆に小さく設定するとボックス内に収納された制御基板を隅々まで容易に視認・観察することができないという相反する問題がある。
【０００７】
本発明はかかる諸点に鑑みてなされたものであり、その課題とするところは、特に前面枠に設けられる遊技盤に着目し、この遊技盤の裏側スペースを利用して制御基板に対する電波の侵入を遮断することにより、製造コストの低廉化を図りつつ、電波発信器などを用いた不正行為を確実に防止しかつ制御基板の不正な改変を容易に視認し得る弾球遊技機を提供せんとするものである。
【０００８】
【課題を解決するための手段】
上記の課題を解決するため、請求項１に係る発明は、外枠に前面枠が開閉可能に取り付けられ、この前面枠に遊技盤が設けられた弾球遊技機において、上記外枠又は前面枠に、前面枠の少なくとも閉状態で遊技盤の裏面側に遊技盤と協働して基板収容空間を形成するカバーを設けるとともに、このカバー及び遊技盤を、共に導電性を有する構成とし、上記基板収容空間に制御基板を配置する構成とする。
【０００９】
この構成では、弾球遊技機で遊技が行われる状態つまり前面枠の閉状態のときには、遊技盤とその裏面側のカバーとによって形成した基板収容空間に制御基板が配置され、かつ遊技盤とカバーが共に導電性を有しているため、制御基板に対する不正な電波の侵入を防止することができる。一方、前面枠を開けて制御基板を検査するときには、カバーが外枠に設けられていれば制御基板が露出して見えることになり、またカバーが前面枠に設けられていればそのカバーを開けることにより制御基板が露出して見えることになり、制御基板を隅々まで容易に検査することができる。しかも、カバー及び遊技盤の素材としては、高価な導電性樹脂を用いる必要はないので、製造コストの低廉化に寄与できることになる。
【００１０】
請求項２に係る発明は、請求項１記載の弾球遊技機において、カバー及び遊技盤が共に導電性を有する構成の一つの具体例を提示するものである。すなわち、上記カバー及び遊技盤を、共に導電性の金属板によって構成する。
【００１１】
請求項３に係る発明は、請求項１又は２記載の弾球遊技機において、上記遊技盤に、表示装置取付用開口部を設けるとともに、この開口部に取り付けた表示装置の裏面側を覆う第２のカバーを取り付け、この第２のカバーを、上記基板収容空間形成用のカバーと同じく導電性を有する構成とする。この構成では、遊技盤に表示装置取付用開口部が設けられ、その開口部から電波が侵入しても表示装置の裏面側を覆う導電性を有する第２のカバーによって制御基板に対する電波の侵入を確実に防止することができる。
【００１２】
請求項４に係る発明は、請求項１〜３のいずれか一つに記載の弾球遊技機において、上記遊技盤の裏面側に、基板収容空間を貫通して上下方向に延びる球供給通路を設け、この球供給通路内の基板収容空間を貫通する入口側及び出口側にそれぞれ球の通過を許容しつつ通路内を閉鎖する導電性のシールド弁を設ける構成とする。この構成では、遊技盤の裏面側に基板収容空間を貫通して上下方向に延びる球供給通路が設けられた場合にも、この球供給通路内の基板収容空間を貫通する入口側及び出口側にそれぞれ球の通過を許容しつつ通路内を閉鎖する導電性のシールド弁が設けられているため、電波が球供給通路内を通って基板収容空間ないし制御基板に侵入するのを防止することができる。
【００１３】
【発明の実施の形態】
以下、本発明の実施の形態を図面に基づいて説明する。
図１ないし図４は本発明の一実施形態に係る弾球遊技機としてのパチンコ遊技機Ａを示す。このパチンコ遊技機Ａは、島側の固定枠１に取り付けられた外枠２と、この外枠２に対し左縁をヒンジ側として開閉可能に取り付けられた前面枠３と、この前面枠３の裏面側に遊技盤４を介在して装着された機構枠５と、上記前面枠３の遊技盤４に対応する開口部３ａに左縁をヒンジ側として開閉可能に取り付けられたガラス枠６と、このガラス枠６の周囲を覆ってガラス枠６に装着された飾りパネル７とを備えている。
【００１４】
上記遊技盤４の表面側にはガイドレール１１が設けられ、このガイドレール１１内側の遊技領域４ａは、ガラス枠６の飾りパネル７で覆われていないガラス面を通して前方に見えるようになっている。この遊技領域４ａには可変表示装置１２、始動入賞口１３、可変入賞口装置１４、風車１５などの遊技部品と共に多数の障害釘１６，１６，…が適宜配置されている。また、前面枠３の下部（つまりガラス枠６及び飾りパネル７で覆われる部位よりも下側の部位）には発射ハンドル１７及び球受け皿１８などが取り付けられており、この発射ハンドル１７の操作によりパチンコ球を遊技領域４ａに打ち出して遊技が行われる。
【００１５】
上記遊技盤４は、導電性の金属板（例えば鋼板、銅板又はアルミニウム板など）の表面に遊技盤用の描画を施してなり、その厚みは０．５ｍｍ程度に設定されている。上記各障害釘１６は、図５に示すように、遊技盤４に設けた小孔２１に対し表面側から挿通され軸方向中間部で遊技盤４の裏面側からロウ付け又は半田付け２２をして固定されている。また、可変表示装置１２などの遊技部品は、図６に示すように、遊技盤４に設けた小孔２３に対し表面側からネジ部材２４をねじ込みことにより、あるいはネジ部材２４のねじ込みとロウ付け又は半田付け２５との組み合わせにより遊技盤４に取り付けられている。
【００１６】
上記遊技盤４及び機構枠５の裏面側には、島側の補給機構（図示せず）から補給されるパチンコ球を受け入れて貯留する球タンク２６、この球タンク２６内のパチンコ球を球供給装置２７を通して前面枠３の球受け皿１８に送り出す球供給通路２８、及びモータ等からなる球発射装置２９などが取り付けられている。
【００１７】
上記外枠２には前面枠３の閉状態で前面枠３側の遊技盤４の裏面側に遊技盤４と協働して基板収容空間３０を形成する第１のカバー３１が取り付けられている。このカバー３１は、導電性の金属板（例えば鋼板、銅板又はアルミニウム板など）をプレス成形してなり、その厚みは０．３〜０．５ｍｍ程度に設定されている。第１のカバー３１の背面部３１ａには複数（図では２つ）の制御基板３２，３２が取り付けられており、前面枠３の閉状態ではこの制御基板３２は基板収容空間３０に収容配置される（図４参照）。
【００１８】
さらに、上記遊技盤４には、図７に拡大詳示するように、可変表示装置１２を取り付けるための開口部３３が設けられているとともに、この開口部３３に取り付けた可変表示装置１２の裏面側を覆う第２のカバー３４が取り付けられている。この第２のカバー３４は、上記第１のカバー３１と同じく導電性の金属板をプレス成形してなる。
【００１９】
上記第１のカバー３１の上壁部３１ｂは、前面枠３の閉状態では前面枠３側の球タンク２６の下方近傍に位置するようになっており、この上壁部３１ｂには球タンク２６に接続された球供給通路２８との干渉を避けるための切り欠き部３５が形成されており、球供給通路２８は、前面枠３の閉状態では基板収容空間３０を貫通して上下方向に延びるようになっている。この球供給通路２８内の基板収容空間３０を貫通する入口側には、図８に示すように、導電性の金属箔からなるシールド弁３６が設けられており、このシールド弁３６は、通常は図に実線で示す如く球供給通路２８を閉鎖し、球供給通路２８内をパチンコ球ｂが通過する時図に仮想線で示す如く弾性変形してその通過を許容するになっている。また、球供給通路２８内の基板収容空間３０を貫通する出口側にも、図９に示すように、同様にパチンコ球ｂの通過を許容しつつ球供給通路２８を閉鎖するシールド弁３７が設けられている。
【００２０】
従って、上記実施形態のパチンコ遊技機Ａにおいては、前面枠３が外枠２側に閉じられて遊技を行なう状態のときには、前面枠３側の遊技盤４と外枠２側の第１のカバー３１とによって形成した基板収容空間３０に複数の制御基板３２，３２が配置され、かつ遊技盤４と第１のカバー３１が共に導電性の金属板からなるため、制御基板３２に対する不正な電波の侵入を防止することができ、電波発信器などを用いた不正行為を防止することができる。
【００２１】
特に、上記実施形態では、遊技盤４に表示装置取付用開口部３３が設けられ、その開口部３３から電波が侵入しても可変表示装置１２の裏面側を覆う導電性の金属板からなる第２のカバー３４によって制御基板３２に対する電波の侵入を確実に防止することができ、電波発信器などを用いた不正行為を確実に防止することができる。また、遊技盤４の裏面側に基板収容空間３０を貫通して上下方向に延びる球供給通路３０が設けられているが、この球供給通路３０内の基板収容空間３０を貫通する入口側及び出口側にそれぞれパチンコ球ｂの通過を許容しつつ通路３０内を閉鎖する導電性のシールド弁３６，３７が設けられているため、電波が球供給通路３０内を通って基板収容空間３０ないし制御基板３２に侵入するのを防止することができ、電波発信器を用いた不正行為をより確実に防止することができる。
【００２２】
一方、前面枠３を開けて制御基板３２を検査するときには、前面枠３を開けると外枠２側の第１のカバー３１の背面部３１ａに取り付けた制御基板３２が露出して見える（図２参照）ため、制御基板３２を隅々まで容易に検査することができ、制御基板３２の不正な改変を容易に視認することができる。このことからも不正行為の防止化を図ることができる。
【００２３】
その上、上記遊技盤４及びカバー３１は、共に導電性の金属板からなるものであるため、複数の制御基板３２，３２をそれぞれ別々の高価な導電性樹脂製の収納ボックス内に収納する場合に比べて製造コストを低減することができる。また、制御基板３２，３２の収納スペースを広く確保することができ、配置レイアウトを容易に行うことができる。
【００２４】
尚、本発明は上記実施形態に限定されるものではなく、その他種々の実施形態を包含するものである。例えば、上記実施形態では、前面枠３の閉状態で前面枠３側の遊技盤４と外枠２側の第１のカバー３１とにより形成される基板収容空間３０に複数の制御基板３２，３２を配置するに当たり、第１のカバー３１の背面部３１ａに各制御基板３２を取り付けたが、本発明は、この制御基板３２を、図１０に示す如く遊技盤４の裏面側に取り付けたり、第１のカバー３１の背面部３１ａ以外の部位に取り付けたりしてもよいのは勿論である。
【００２５】
また、上記実施形態では、外枠２に第１のカバー３１を取り付け、前面枠３の閉状態で前面枠３側の遊技盤４の裏面側に遊技盤４と第１のカバー３１とで基板収容空間３０を形成するように構成したが、本発明は、このカバーを、外枠２と一体成形したり、あるいは前面枠３側の遊技盤４の裏面に開閉可能に取り付けたりしてもよい。要は、前面枠３の少なくとも閉状態で遊技盤４の裏面側に遊技盤とカバーとにより電波の侵入を遮断し得る基板収容空間を形成するように構成すればよいのである。
【００２６】
さらに、上記実施形態では、遊技盤４及び第１のカバー３１が共に導電性を有する構成とするために、これらを導電性の金属板によって構成したが、本発明は、その一方又は両方を、ベニア板や合成樹脂板などに導電性の金属メッキや金属蒸着を施したり、導電性の金属シートを貼り付けたり、導電性の金属板を嵌め合わせたりしてもよい。
【００２７】
【発明の効果】
以上のように、本発明の弾球遊技機によれば、遊技盤とその裏面側のカバーとによって形成した基板収容空間に制御基板が配置され、かつ遊技盤とカバーが共に導電性を有しているため、制御基板に対する不正な電波の侵入を防止することができ、電波発信器などを用いた不正行為を防止することができる。また、前面枠を開けることなどによって制御基板を隅々まで容易に検査することができ、制御基板の不正な改変を容易に視認することができる。しかも、カバー及び遊技盤の素材として、高価な導電性樹脂を用いる必要はないので、製造コストの低廉化に寄与することができるという効果を奏するものである。
【００２８】
特に、請求項３に係る発明では、遊技盤の表示装置取付用開口部から電波が侵入しても表示装置の裏面側を覆う第２のカバーによって制御基板に対する電波の侵入を確実に防止することができるので、電波発信器などを用いた不正行為の防止化をより図ることができる。
【００２９】
また、請求項４に係る発明では、遊技盤の裏面側に基板収容空間を貫通して上下方向に延びる球供給通路が設けられた場合にも、この球供給通路内の基板収容空間を貫通する入口側及び出口側にそれぞれ球の通過を許容しつつ通路内を閉鎖する導電性のシールド弁が設けられているため、電波が球供給通路内を通って制御基板に侵入するのを防止することができ、電波発信器などを用いた不正行為の防止化をより一層図ることができる。
【図面の簡単な説明】
【図１】本発明の実施形態に係るパチンコ遊技機の斜視図である。
【図２】上記パチンコ遊技機の前面枠を開いた状態の斜視図である。
【図３】パチンコ遊技機の分解斜視図である。
【図４】図１のＸ−Ｘ線における断面図である。
【図５】遊技盤に対する障害釘の固定状態を示す拡大断面図である。
【図６】同じく遊技部品の取付状態を示す拡大断面図である。
【図７】図４の可変表示装置付近の拡大図である。
【図８】球供給通路の入口付近の構造を示す縦断側面図である。
【図９】球供給通路の出口付近の構造を示す縦断側面図である。
【図１０】別の実施形態を示す図２相当図である。
【符号の説明】
Ａ　　パチンコ遊技機
ｂ　　パチンコ球
２　　外枠
３　　前面枠
４　　遊技盤
２８　　球供給通路
３０　　基板収容空間
３１　　第１のカバー
３２　　制御基板
３３　　開口部
３４　　第２のカバー
３６，３７　　シールド弁
【図１】
2004105572.tif 000003
【図２】
2004105572.tif 000004
【図３】
2004105572.tif 000005
【図４】
2004105572.tif 000006
【図５】
2004105572.tif 000007
【図６】
2004105572.tif 000008
【図７】
2004105572.tif 000009
【図８】
2004105572.tif 000010
【図９】
2004105572.tif 000011
【図１０】
2004105572.tif 000012